(57)【特許請求の範囲】
【請求項１】
背側両端部に対し基端部が固定されたファスニングテープを有し、
腹側の裏面シート上に前記ファスニングテープを止着するための補強テープが設けられている使い捨て紙おむつにおいて、
介在シートを少なくともその周辺の表面側シートと前記裏面シートとの間に介在させ、前記ファスニングテープと前記介在シートとを異なる色で配色または濃淡を付けることにより区別できる配色をし、
かつ、前記ファスニングテープと前記補強テープを異なる色で配色または濃淡を付けることにより区別できる配色をし、
たことを特徴とする使い捨て紙おむつ。
【請求項２】
ファスニングテープが面ファスナーテープである請求項１記載の使い捨て紙おむつ。
【請求項３】
背側両端部の吸収体が存在しないサイドフラップ部に対し基端部が固定されたファスニングテープを有し、未使用状態で前記ファスニングテープがサイドフラップ部の表面側シート面に貼着されたリリーステープに対し仮止めされ、腹側の裏面シート上に前記ファスニングテープを止着するための補強テープが貼着されている使い捨て紙おむつにおいて、
介在シートを少なくともその周辺の表面側シートと前記裏面シートとの間に介在させ、前記ファスニングテープと前記介在シートとを異なる色で配色または濃淡を付けることにより区別できる配色をし、
かつ、前記ファスニングテープと前記補強テープを異なる色で配色または濃淡を付けることにより区別できる配色をし、
たことを特徴とする使い捨て紙おむつ。
【請求項４】
表面側シートが、バリヤーカフスを構成するバリヤーシートである請求項１または３記載の使い捨て紙おむつ。
【請求項５】
表面側シートと裏面シートとが接合され、これら両シートの背側両端部に対し基端部が固定されたファスニングテープを有し、未使用状態で前記ファスニングテープが表面側シート面に貼着されたリリーステープに対し仮止めされ、腹側の前記裏面シート上に前記ファスニングテープを止着するための補強テープが接着され、別体の吸収パッドが装着および交換可能となっているおむつカバーにおいて、
介在シートを少なくともその周辺の表面側シートと前記裏面シートとの間に介在させ、前記ファスニングテープと前記介在シートとを異なる色で配色または濃淡を付けることにより区別できる配色をし、
かつ、前記ファスニングテープと前記補強テープを異なる色で配色または濃淡を付けることにより区別できる配色をし、
たことを特徴とするおむつカバー。
【発明の詳細な説明】
【０００１】
【産業上の利用分野】
本発明は、ファスニングテープを他から容易に判別できるようにするとともに、その止着部位を明確に認識できるようにして、その取扱性の便宜および止着ミス防止等を図った使い捨て紙おむつおよびおむつカバーに関する。
【０００２】
【従来の技術】
従来より使用されている紙おむつは、着用者への装着のために、紙おむつの後身頃の両側にファスニングテープを備えており、使用に際しては紙おむつの前身頃および後身頃をそれぞれ着用者に当てた後、前記ファスニングテープを腹側に持ち込み、腹側のバックシート上に止着して、紙おむつの固定を行っている。
【０００３】
この場合、一回の止着できっちりと紙おむつを装着するのはなかなか困難で、実際には何回か止着直しを行う必要がある。そのため、実開昭57-74910号公報等においては、バックシート上の前身頃部分にプラスチック材料からなる補強テープを張り付け、複数回の止着直しができるようにしている。
【０００４】
他方、実開昭63-183208 号公報においては、前記補強テープにバックシートとは異なる着色を施した紙おむつが開示されている。
【０００５】
【発明が解決しようとする課題】
確かに、前記補強テープを設けることによりファスニングテープの付け直しができるようになり、その便利さから今ではほとんどの紙おむつに補強テープが設けられている。また、補強テープ面の色を地色と変えることにより、ファスニングテープを止着すべき領域が一目で判別できるため、止着位置の間違いも少なくなるなど、その効果も大きい。
【０００６】
しかしながら、前記ファスニングテープは、おむつの製品状態ではサイドフラップ部の表面シート側に貼られたリリーステープに仮止めされており、使用に当たってはこのリリーステープから剥がして使用される。従来より提供されている紙おむつは、ファスニングテープ、リリーステープおよび表面側シートが共に白色であり、一見しただけではファスニングテープを表面側シートから判別しづらく、装着時にファスニングテープの剥離に手間が掛かり、取扱いにくいなどの問題を有する。
【０００７】
また、内部の吸収パッドを交換可能とした使い捨ておむつカバーの場合や、排泄物の確認などのために紙おむつを展開する場合には、一旦止着したファスニングテープを補強テープから剥がした後再び止着し直すことが行われる。しかし、補強テープ上のファスニングテープの判別が困難である場合には、同様にファスニングテープの剥離に手間が掛かり、取扱いにくいなどの問題を有する。特に、大人用紙おむつの場合には、おむつの着用を介護する人も高齢の場合が多く、ファスニングテープの判別が容易で取扱性に優れた紙おむつであることが望まれている。
【０００８】
そこで、本発明の主たる課題は、おむつの装着から排泄物の確認やおむつ交換に渡って、ファスニングテープを他から容易に判別できるようにするとともに、その止着部位を明確に認識できるようにして、その取扱性の便宜および止着ミス防止等を図った使い捨て紙おむつ及びおむつカバーを提供するものである。
【０００９】
【課題を解決するための手段】
前記課題を解決した本発明の請求項１記載の発明は、背側両端部に対し基端部が固定されたファスニングテープを有し、腹側の裏面シート上に前記ファスニングテープを止着するための補強テープが設けられている使い捨て紙おむつにおいて、
介在シートを少なくともその周辺の表面側シートと前記裏面シートとの間に介在させ、前記ファスニングテープと前記介在シートとを異なる色で配色または濃淡を付けることにより区別できる配色をし、
かつ、前記ファスニングテープと前記補強テープを異なる色で配色または濃淡を付けることにより区別できる配色をし、
たことを特徴とする使い捨て紙おむつである。
【００１０】
請求項２記載の発明は、ファスニングテープが面ファスナーテープである請求項１記載の使い捨て紙おむつである。
【００１１】
請求項３記載の発明は、背側両端部の吸収体が存在しないサイドフラップ部に対し基端部が固定されたファスニングテープを有し、未使用状態で前記ファスニングテープがサイドフラップ部の表面側シート面に貼着されたリリーステープに対し仮止めされ、腹側の裏面シート上に前記ファスニングテープを止着するための補強テープが貼着されている使い捨て紙おむつにおいて、
介在シートを少なくともその周辺の表面側シートと前記裏面シートとの間に介在させ、前記ファスニングテープと前記介在シートとを異なる色で配色または濃淡を付けることにより区別できる配色をし、
かつ、前記ファスニングテープと前記補強テープを異なる色で配色または濃淡を付けることにより区別できる配色をし、
たことを特徴とする使い捨て紙おむつである。
【００１２】
請求項４記載の発明は、表面シートが、バリヤーカフスを構成するバリヤーシートである請求項１または３記載の使い捨て紙おむつである。
【００１３】
請求項５記載の発明は、表面側シートと裏面シートとが接合され、これら両シートの背側両端部に対し基端部が固定されたファスニングテープを有し、未使用状態で前記ファスニングテープが表面側シート面に貼着されたリリーステープに対し仮止めされ、腹側の前記裏面シート上に前記ファスニングテープを止着するための補強テープが接着され、別体の吸収パッドが装着および交換可能となっているおむつカバーにおいて、
介在シートを少なくともその周辺の表面側シートと前記裏面シートとの間に介在させ、前記ファスニングテープと前記介在シートとを異なる色で配色または濃淡を付けることにより区別できる配色をし、
かつ、前記ファスニングテープと前記補強テープを異なる色で配色または濃淡を付けることにより区別できる配色をし、
たことを特徴とするおむつカバーである。
【００１４】
【作用】
本発明においては、介在シートを少なくともその周辺の表面側シートと前記裏面シートとの間に介在させ、前記ファスニングテープと前記介在シートとを異なる色で配色または濃淡を付けることにより区別できる配色をし、かつ、前記ファスニングテープと前記補強テープを異なる色で配色または濃淡を付けることにより区別できる配色をした。したがって、紙おむつまたはおむつカバーの装着に当たって、先ずファスニングテープをその仮止め部位から剥がす際、このファスニングテープが周囲より明確に区別されるため、介護人は迷わずファスニングテープの位置を判別でき、素早く剥離することができる。
【００１５】
また、装着状態時に排泄があったかどうかの確認、吸収体パッドの交換および紙おむつの交換などのために、補強テープからファスニングテープを剥離する場合にも、一目で補強テープ上のファスニングテープを判別でき、迷うこと無く素早くファスニングテープを摘み剥離することができる。
【００１６】
また、前記補強テープ面と裏面シートとを異ならして配色することにより、紙おむつ等の装着時に、前記ファスニングテープを腹側に持ち込んで補強テープ上に止着する際、止着可能な領域が明確に区別されるため、間違って裏面シートに対して止着するようなミスが極力防止される。
【００１７】
さらに、特に吸収体パッドが交換される使い捨ておむつカバーの場合、一旦剥離したファスニングテープをリリーステープに仮止めしておくことがあるが、少なくともこのリリーステープ周辺の表面側と異ならして配色しておくことにより、仮止め位置が明確となりその止着が容易となる。
【００１８】
本発明の配色には、色彩自体が異なる配色の場合の他、同系色であってもその濃淡の違いによる配色の場合をも含むものとする。
【００１９】
【実施例】
以下、本発明を図面に示す実施例に基づいて詳述する。
【００２０】
図１において、紙おむつはポリエチレン、ポリエチレンラミネート不織布等からなる不透液性裏面シート１と、不織布などからなる透液性表面シート２と、さらに前記不透液性裏面シート１と透液性表面シート２との間に介在された、綿状パルプ等からなる、たとえば長方形若しくは砂時計形状のある程度剛性を有する吸収体３とから構成されている。また、腹側および背側の縁部には、不透液性裏面シート１と透液性表面シート２との間に発泡ウレタンなどからなる弾性伸縮バンド８、８が介在されており、背側の両側部にはそれぞれファスニングテープ６、６が固着されている。ファスニングテープ６は、詳細には図２に示されるように、その基端固定部６ａが不透液性裏面シート１にホットメルト接着剤等を介して固着されるとともに、紙おむつの側方に延出する止着部分６ｂの内面に粘着剤層１１を有し、装着前は後述のバリヤーシート４上に貼られたリリーステープ９に仮止めされている。また、本実施例の場合は、前記リリーステープ９の側方突出部９ａがファスニングテープ６に接合された、いわゆるＹ字接合により、ファスニングテープ６に作用する力がリリーステープ９にも分散されることにより該固定部の補強がなされている。
【００２１】
前記不透液性裏面シート１は、吸収体３の周囲より外方に延在して砂時計形状をなしており、その側方の延在部は、本発明における「表面側シート」に該当するバリヤーシート４および透液性表面シート２の側部とともにフラップ部Ｆを構成している。また、透液性表面シート２は長方形をなし、脚回り部分では吸収体３の側縁より若干外方に延在し、不透液性裏面シート１とホットメルト接着剤などにより固着されている。前記バリヤーシート４の形成材料としては、プラスチックシートやメルトブローン不織布を使用することもできるが、肌の感触性の点で、不織布にシリコンなどにより撥水処理をしたものが好適に用いられる。
【００２２】
一方、紙おむつの両側部には、使用面側に突出するバリヤーカフスＢ、Ｂが形成されている。このバリヤーカフスＢは、図示のように、実質的に幅方向に連続したバリヤーシート４が内折りにされて２重に形成されたものであり、その内方に一本の弾性伸縮部材５または必要により複数本の弾性伸縮部材が固着され、前記バリヤーカフスＢを起立させている。
【００２３】
また、バリヤーカフス４の外側部分には、たとえば４本のガスケットカフス用弾性伸縮部材７、７…が不透液性裏面シート１にホットメルト接着剤などにより固着されている。このバリヤーカフスＢ、Ｂは、着用者の脚回りに当接し、そのバリヤーカフスＢ、Ｂと透液性シート２とで囲まれる、上方開口のほぼ台形の空間によって、尿または軟便の閉じ込め空間を形成し、この空間内に排尿されると、その尿は透液性シート２を通過して吸収体３内に吸収されるとともに、軟便固形分については、バリヤーカフスＢ、Ｂがバリヤー（障壁）になってその乗り越えが防止される。仮に、バリヤーカフスＢ、Ｂを乗り越えて横方向に尿が漏れたとしても、弾性伸縮部材７、７…によって形成されるガスケットカフスにより横漏れが防止される。なお、９は吸収体３を舟形に成形するために用いる形状保持用弾性伸縮部材であり、この弾性伸縮部材９によって、紙おむつの着用時に、ある程度剛性のある吸収体３を舟形に折り曲げ、着用者の身体にフィットした形状に保持させることができる。
【００２４】
他方、紙おむつの不透液性裏面シート１の腹側部分には、前記ファスニングテープ６の止着部６ｂを止着するための補強テープ１０がホットメルト接着剤などにより剥離不能に接着されている。前記補強テープ１０には、ファスニングテープ６を止着する際の指標となるように、補強テープの長手方向に所定間隔で目盛り線またはマークが印刷されているとともに、その目盛り線またはマークに対して数値が付されている。前記補強テープ１０としては、ファスニングテープ６の付け直しに耐えうる程度の強度が必要であることからプラスチックシートなどが好適に用いられる。
【００２５】
ファスニングテープ６と補強テープ１０は、フックによる接合が可能な面ファスナー（「ベルクロテープ」商品名）を使用することもある。
【００２６】
実施例においては、前記ファスニングテープ６と、少なくとも前記リリーステープ９周辺のバリヤーシート４とを異ならせて区別できる配色とするか、あるいは濃淡を付けることにより区別できる配色とする。したがって、紙おむつの装着に当たって、前記ファスニングテープ６をリリーステープ９より剥がす際、色彩の違いによりファスニングテープ６が周囲より明確に区別されるため、介護人は迷うこと無くファスニングテープ６を判別し剥離することができる。なお、おむつ構成の違いよって透液性表面シート２が側方端まで延在し、この透液性表面シート２にリリーステープ９が貼着されている場合には、前記ファスニングテープ６の色は、「表面側シート」たる透液性表面シート２と異ならせるか、あるいは濃淡を付けることにより区別できることになる。
【００２７】
また、本発明においては、前記ファスニングテープ６を補強テープ１０と区別可能に配色するか、あるいは濃淡を付ける配色により区別できるようにするとともに、前記補強テープ１０を不透液性裏面シート１と異ならせて配色するか、あるいは濃淡を付けることにより区別できるようにする。したがって、紙おむつの装着時に、前記ファスニングテープ６をリリーステープ９より剥がし腹側に持ち込んで補強テープ１０に止着する際、この補強テープ１０が周囲の色と異なることにより止着可能な領域が明確に区別されるため、間違って不透液性裏面シート１に対して止着するようなミスが極力防止される。
【００２８】
その後、排泄があったかどうかの確認や紙おむつの交換などのために、補強テープ１０に止着されているファスニングテープ６を剥がして、おむつ内部の確認やおむつの取外しを行う場合、ファスニングテープ６と補強テープ１０との配色が異なっているため、一目でファスニングテープ６を識別でき、迷うこと無く素早くファスニングテープ６を摘み補強テープ１０より剥がすことができる。
【００２９】
さらに、特に吸収体パッドが交換可能とされる使い捨ておむつカバーの場合には、補強テープ１０より剥がしたファスニングテープ６を一旦リリーステープ９に仮止めする場合があるが、リリーステープ９を周囲のバリヤーシート４と異ならせた配色にしておくことにより、仮止め位置が明確に判別でき、止着位置を間違うこと無く止着できる。
【００３０】
これら前記ファスニングテープ６をリリーステープ９周辺のバリヤーシート４および補強テープ１０と異ならせた配色にするための色彩の付与、および補強テープ１０を不透液性裏面シート１６と異ならせた配色にするための色彩の付与に当たっては、テープまたはシート素材の成形原料に直接、着色顔料を添加して着色することできる。
さらに、リリーステープ９周囲のバリヤーシート４部分の着色方法としては、たとえば図４に示されるように、ファスニングテープ６の固定部Ａに、不透液性裏面シート１とバリヤシート４との間に着色した補強用介在シート１２を介在させることにより、バリヤシート４に色彩を付与することができる。
【００３１】
補強用介在シート１２を介在させる場合には、装着時にファスニングテープ６に作用する引張力が前記補強用介在シート１２に伝達され分散されるため、従来のようにファスニングテープ６の固定部やサイドフラップ部Ｆが破れるようなことがなくなるなどの利点が同時にもたらされる。前記補強用介在シート１２としては、たとえばポリエチレンフィルム、ポリプロピレンフィルム、不織布などを使用することができる。この場合、サイドフラップ部Ｆを硬くせず補強するという点からは、オレフィン系、ナイロン系のスパンボンド、オレフィン系サーマルボンドというような不織布を使用するのが好ましい。また不織布の使用により、サイドフラップ部Ｆのフィルムによる音の発生も軽減でき、おむつの交換時や装着時の不快感がなくなることになる。この場合、補強用介在シート１２にバリヤシート４やファスニングテープ６、リリーステープ９と異なった配色、濃淡の異なる色を配することで、テープの位置を識別させることができる。
【００３２】
また、他の方法としては、リリーステープ９の素材を透明としながらその接着剤たるホットメルトに対して着色顔料を混合することにより、貼着した状態であたかもリリーステープ９が着色されているかのように見せて、リリーステープ９色をその周囲のバリヤーシート４色と異ならせることができる。一方、補強テープ１０色を不透液性裏面シート１の色と異ならせる場合も、全く同様に、着色したホットメルト接着剤により色彩を付与することができる。
【００３３】
【発明の効果】
以上詳説のとおり、本発明によれば、ファスニングテープを他から容易に判別できるようになるとともに、その止着部位を明確に認識できるようになるため、紙おむつの取扱性が格段に向上するとともに、止着時のミスを極力防止することができるようになる。
【図面の簡単な説明】
【図１】本発明に係る使い捨て紙おむつの平面展開図である。
【図２】ファスニングテープ固定部の横断面図（図１のII−II線断面図）である。
【図３】使い捨て紙おむつの起立状態斜視図である。
【図４】本発明に係る他の使い捨て紙おむつの要部拡大平面図である。
【符号の説明】
１…不透液性裏面シート、２…透液性表面シート、３…吸収体、４…バリヤーシート、５・７・９…弾性伸縮部材、６…ファスニングテープ、９…リリーステープ、１０…補強テープ、１１…粘着剤層、１２…補強用介在シート、Ｂ…バリヤーカフス、Ｆ…サイドフラップ
【図１】
0003578802.tif 000002
【図２】
0003578802.tif 000003
【図３】
0003578802.tif 000004
【図４】
0003578802.tif 000005